(57)【要約】【課題】  工数を削減すると共に、製造工程を簡素化し、もって製造コストを削減することが可能な磁性素子を提供すること。【解決手段】  コア部材２０と、導電性の金属粉末と樹脂系の接合剤との混練物の硬化により形成され、コア部材２０の内部に設けられ、一方の端部がコア部材２０の一の外面２１ｂに露出する第１の露出部分となり、他方の端部がコア部材２０の他の外面２１ｄに露出する第２の露出部分となる複数の導体パターン３０を具備する。また、コア部材２０の外面２１ｂ，２１ｄに設けられ、第１の露出部分に電気的に接続される外部導体４０を有していて、さらに第２の露出部分に対して電気的に接続され、コア部材２０の外面に形成される端子電極５０と、を具備している。加えて、コア部材２０は、磁性部材の重ね合わせにより形成され、導体パターン３０は、コア部材２０の内部における特定の磁性部材上のる導体用平面上に設けられている。【選択図】  図１
2006186137.tif 000002
【特許請求の範囲】
【請求項１】
軟磁性材料を材質とするコア部材と、
導電性の金属粉末と樹脂系の接合剤との混練物を硬化することにより形成されると共に、上記コア部材の内部に設けられ、かつ一方の端部が上記コア部材の一の外面に露出する第１の露出部分となり、さらに他方の端部が上記コア部材の他の外面に露出する第２の露出部分となる複数の導体パターンと、
導電性の部材から形成されると共に、上記コア部材の外面に設けられ、かつ上記導体パターンの第１の露出部分に電気的に接続される外部導体と、
上記導体パターンの第２の露出部分に対して電気的に接続されると共に、コア部材の外面に形成される端子電極と、
を具備し、
上記コア部材は、磁性部材の重ね合わせにより形成されると共に、上記導体パターンは、上記コア部材の内部における特定の磁性部材上に存在する導体用平面上に設けられていることを特徴とする磁性素子。
【請求項２】
前記外部導体は、実装基板に存在するランドパターンに接続され、該外部導体は、前記第１の露出部分と上記ランドパターンとの間に亘り設けられると共に、上記ランドパターンと、前記導体パターンと、前記外部導体とにより、コイル部が形成されることを特徴とする請求項１記載の磁性素子。
【請求項３】
前記コア部材のうち、実装基板に実装される外面と離間した状態で対向する外面には、前記導体パターンとは異なる第２の導体パターンが設けられ、前記外部導体は、前記第１の露出部分と上記第２の導体パターンとの間に亘り設けられると共に、上記第２の導体パターンと、前記外部導体と、前記導体パターンとにより、コイル部が形成されることを特徴とする請求項１記載の磁性素子。
【発明の詳細な説明】
【技術分野】
【０００１】
本発明は、電源系・信号系等を始めとする、各種電気機器に用いられる磁性素子に関する。
【背景技術】
【０００２】
積層タイプの磁性素子を製造する場合、現状では２通りの工法が主流となっている。これらの工法のうち、印刷法（ビルドアップ法；特許文献１参照）では、導体、磁性体、非磁性体などの材料粉末を、樹脂系結合剤と混合し、流動性のあるペースト状に形成する。その後、所望の形状・内部構成（内部パターン）に合わせ、メタルマスクを設置し、導体層を形成する。その後、磁性体層または非磁性体層を、導体層に重ねて形成し、再び導体層を重ねる。以上の工程を交互に印刷を繰り返すことによって、所望の巻数の積層コイル部を備える磁性素子が形成される。
【０００３】
かかる印刷法により形成される磁性素子は、メタルマスクのパターンの組み合わせで、積層コイル部が形成されるため、マスクの形状を変更すると、種々のコイル構造を形成することができ、磁性素子の設計における自由度が高い。また、ペーストを印刷することによって、それぞれの層が形成されるため、例えば積層する層数を増減する等の印刷条件を変更することにより、磁性素子の厚みを適切／任意なものに、制御することが可能となっている。
【０００４】
また、積層タイプの磁性素子を製造する他の工法としては、スルーホール法がある。スルーホール法では、特定の位置に、導体間の接続用の孔部を有する磁性シートまたは非磁性シートの上に導体パターンを印刷する。さらに、導体パターンに対して、別の磁性シートまたは非磁性シートを圧着により貼り付け、その上に、周回パターンを形成するように、別の導体パターンを印刷する。かかるプロセスを繰り返すことにより、所望の巻数の積層コイル部を備える磁性素子を形成する。
【０００５】
なお、磁性シートおよび非磁性シートを用いる方法ではないものの、スルーホール法を用いた例として、特許文献２に開示されている技術内容がある。
【０００６】
【特許文献１】特開平１１−２４３０２６号公報（段落番号００２１〜００３０、図１および図３参照）
【特許文献２】特開平１１−２５１１４６号公報（段落番号００１５〜００２３、図１および図３参照）
【発明の開示】
【発明が解決しようとする課題】
【０００７】
ところで、上述の印刷法においては、多数巻きの積層コイル部を備える磁性素子を形成する場合、多くの工数を要する、という問題がある。すなわち、積層するパターン毎に、そのパターン形状に対応するメタルマスクを設置し、その設置後にペーストを塗布し、その後メタルマスクを取り外し、さらに該塗布部分を乾燥させる工程が必要となる。そのため、多数の層を積層する場合、その工数は、非常に多くなり、製造に多くの時間を要する。そのため、製造コストがかさむ、という問題がある。
【０００８】
特に、近年、磁性素子は、小型化の要請と共に、インダクタンス値（Ｌ値）が大きな値となる高性能化を求められることも多い。ここで、Ｌ値を大きくする場合、積層コイル部の巻数が多くなるため、小型化の要請に反することになるが、巻数が多くなると、その分だけ工数が増大してしまう。
【０００９】
また、磁性素子を、電源用として用いる要求も増大している。ここで、各種電子機器の電源においては、駆動回路のスイッチング周波数が徐々に高周波側にシフトしている。かかる高周波に対応させるためには、磁性素子の低抵抗化（低ＤＣＲ化）が求められると共に、高定格電流（大電流）への対応も求められる。ところが、１プロセスで製造可能な導体の厚みには限界があり、そのため、電源用として用いるため低ＤＣＲ化を図る場合、導体パターン等の形成に際して、導体ペーストを何度も塗布し、乾燥させていく必要がある。しかしながら、このように何度も導体ペーストを塗布する場合、磁性素子を形成するための工数が、全体として非常に多くなってしまう。
【００１０】
また、メタルマスク毎にペーストを塗布するため、メタルマスクに対して余分に塗布されるペーストを含めて、ペーストの使用量が多くなる、という問題も生じる。さらに、ペーストの印刷および乾燥を繰り返すため、乾燥に伴う内部収縮等により、製造中の磁性素子に亀裂等の不具合が発生し易くなる。また、積層される各層（特に、導体層が塗布される絶縁層）が薄くなると、その分だけ短絡等の問題が生じ易くなり、それを防ぐために絶縁層における厚み寸法の管理が厳しくなる、という問題もある。また、多大の工数を要するため、該多数の工程のうち、いずれか１つの工程で不良が生じても、磁性素子における不良となり、歩留まりが悪化する、という問題も生じている。
【００１１】
また、上述のスルーホール法においては、磁性シートおよび非磁性シートに大量の孔部を形成する必要がある。それにより、孔部の形成に時間を要する、という問題が生じている。また、孔部の僅かな位置ずれ等により、孔部を挿通する導体の接続（接触）抵抗が高くなる傾向が生じる、という問題もある。さらに、シートの圧着条件によっては、接着した層が剥離する、という不良が発生する場合もある。
【００１２】
本発明は上記の事情にもとづきなされたもので、その目的とするところは、工数を削減すると共に、製造工程を簡素化し、もって製造コストを削減することが可能な磁性素子を提供しよう、とするものである。
【課題を解決するための手段】
【００１３】
上記課題を解決するために、本発明は、軟磁性材料を材質とするコア部材と、導電性の金属粉末と樹脂系の接合剤との混練物を硬化することにより形成されると共に、コア部材の内部に設けられ、かつ一方の端部がコア部材の一の外面に露出する第１の露出部分となり、さらに他方の端部がコア部材の他の外面に露出する第２の露出部分となる複数の導体パターンと、導電性の部材から形成されると共に、コア部材の外面に設けられ、かつ導体パターンの第１の露出部分に電気的に接続される外部導体と、導体パターンの第２の露出部分に対して電気的に接続されると共に、コア部材の外面に形成される端子電極と、を具備し、コア部材は、磁性部材の重ね合わせにより形成されると共に、導体パターンは、コア部材の内部における特定の磁性部材上に存在する導体用平面上に設けられているものである。
【００１４】
このように構成した場合には、コア部材の内部に配置される導体パターンは、第１の露出部分において外部導体に電気的に接続され、さらに導体パターンの第２の露出部分において端子電極に電気的に接続される。このため、外部導体が、実装基板に形成されているランドパターン、またはコア部材の外面に形成される他の導体パターンに接続した場合、導体パターン、外部導体、ランドパターンまたは他の導体パターンによって、コイル部が形成される。それにより、電流が導通した場合には、閉磁路を形成することが可能となる。
【００１５】
また、コア部材は、磁性部材の重ね合わせにより形成されると共に、導体パターンは、コア部材の内部に設けられ、かつ特定の磁性部材上に存在する導体用平面上に設けられている。このため、導体パターンを形成する場合、導体用平面上に形成するだけで良く、他の部分に形成しない。このような構成を採用することにより、従来のように、磁性素子の略半分の面積を有する磁性パターン（導体パターンが塗布される絶縁層）を塗布すべく、メタルマスクを位置合わせして、その後磁性パターンのためのペーストを塗布し、さらにメタルマスクを取り替えた後に、導体パターン他を塗布し、さらに磁性素子の反対側を覆う略半分の面積を有する磁性パターンを塗布する、といった作業を繰り返す必要がなくなる。それにより、磁性素子を形成するための工数を大幅に削減することが可能となり、製造時間を短縮することが可能となる。また、工数の大幅な削減により、製造コストを大幅に削減することが可能となる。
【００１６】
また、上述のように工数の削減を図ることができるため、いわゆる低ＤＣＲ化に対応した磁性素子を製造し易くなる。すなわち、従来の磁性素子においては、低ＤＣＲ化を図るために導体パターン等の厚み寸法を大きくしようとすると、導体パターン、および磁性体層または非磁性体層を複数回ずつ塗布／乾燥させる必要がある。加えて、塗布の度毎に、メタルマスクも設置しなければならなく、工数が非常に多くなっている。しかしながら、本発明の磁性素子では、低ＤＣＲ化を図る場合でも、導体パターンのみを繰り返し印刷し、その他のコア部材は、磁性部材を重ね合わせる（貼り合わせる）だけで済む。そのため、メタルマスクの設置回数が大幅に削減され、製造時間の大幅な短縮、および製造コストの大幅な削減を図ることが可能となる。
【００１７】
また、多大な工数を必要とせずに済むため、従来の印刷法等のように、多大な工程のうち、いずれか１つの工程で不良が発生することによる、磁性素子の不良を防止することが可能となる。そのため、磁性素子の製造に際して、不良が発生するのを低減でき、該磁性素子の歩留まりが悪化するのを防ぐことが可能となる。
【００１８】
さらに、本発明においては、コア部材を形成する場合、磁性ペーストを薄く塗布して形成される磁性シートを用いている。それにより、本実施の形態では、従来の印刷法等のように、メタルマスクのマスク部分に、余分に磁性ペーストを塗布せずに済む。このため、ペーストの使用量を低減することが可能となる。かかるペーストの使用量の低減によっても、製造コストの低減を図ることが可能となる。
【００１９】
また、本発明においては、印刷法を用いる場合のように、磁性パターンの形成に際して、ペーストの塗布および乾燥を繰り返すことがない。そのため、ペーストの乾燥に伴う内部収縮が発生し難く、製造中の磁性素子に収縮により引き起こされる亀裂等の不具合が発生し難くなる。それにより、磁性素子の製造に際して、不具合が発生するのを防止することが可能となり、製造段階における歩留まりを向上させることができる。
【００２０】
また、本発明の磁性素子は、従来の印刷法およびスルーホール法で製造される磁性素子とは異なり、磁性シートの積層方向と、コイル部の中心線とが一致せずに直交した状態に設けられている。かかる構成を採用することにより、従来の印刷法等で形成される磁性素子のように、磁性パターンと導体パターンとが交互に出現するのが防止され、各磁性パターンが薄くなるのを防止することができる。また、磁性パターンの薄型化の防止により、導体パターン同士が短絡するのを防止できる。また、磁性パターンの薄型化を防止できるため、該磁性パターンの厚み寸法の管理を厳格に行う必要もなくなる。かかる面からも、製造コストの低減を図ることが可能となる。
【００２１】
また、上述のスルーホール法を用いる場合のように、磁性シート等に大量の孔部を形成する必要がない。そのため、孔部の形成に時間を要することがなく、製造時間の短縮化を図ることが可能となる。さらに、スルーホール法を用いる場合には、磁性シートを積層するに際して、孔部の僅かな位置ずれ等が生じて、孔部を挿通する導体の接続（接触）抵抗が増大する、という問題が生じているが、本発明では、孔部が存在しないため、そのような問題が生じるのを防止することが可能となる。
【００２２】
また、例えば３本以上の導体パターンを形成する場合でも、２本の導体パターンを有する磁性素子等を形成する場合と比較して、工数が増大しない。すなわち、従来の印刷法、スルーホール法においては、導体パターンの巻数が多くなればなる程、工数が増大しているが、本実施の形態の磁性素子等を形成する場合、巻数が多くなっても、一の導体用平面に導体パターンを印刷するのみであるため、工数が増大しない。このため、巻数が多くＬ値の高い磁性素子を形成する場合、工数の差が顕著となり、一層大きな製造時間短縮、および製造コストの削減効果を得ることが可能となる。
【００２３】
また、他の発明は、上述の発明に加えて更に、外部導体は、実装基板に存在するランドパターンに接続され、該外部導体は、第１の露出部分とランドパターンとの間に亘り設けられると共に、ランドパターンと、導体パターンと、外部導体とにより、コイル部が形成されるものである。
【００２４】
このように構成した場合には、外部導体と、ランドパターンと、導体パターンとにより、コイル部が形成される。このため、磁性素子を、例えばインダクタ、フィルタ等の磁性素子として、良好に機能させることが可能となる。また、ランドパターンをコイル部の一部として用いる構成のため、磁性素子の製造段階における工数が一層少なくなる。
【００２５】
さらに、他の発明は、上述の各発明に加えて更に、コア部材のうち、実装基板に実装される外面と離間した状態で対向する外面には、導体パターンとは異なる第２の導体パターンが設けられ、外部導体は、第１の露出部分と第２の導体パターンとの間に亘り設けられると共に、第２の導体パターンと、外部導体と、導体パターンとにより、コイル部が形成されるものである。
【００２６】
このように構成した場合には、外部導体と、第２の導体パターンと、導体パターンとにより、コイル部が形成される。このため、例えばインダクタ、フィルタ等の磁性素子として、良好に機能させることが可能となる。
【発明の効果】
【００２７】
本発明によると、工数を削減すると共に、製造工程を簡素化することができる。そのため、製造コストを削減することが可能となる。
【発明を実施するための最良の形態】
【００２８】
（第１の実施の形態）
以下、本発明の第１の実施の形態に係る磁性素子について、図１から図５に基づいて説明する。図１は、本発明の一実施の形態に係る磁性素子１０の構成を示す斜視図である。また、図２は、磁性素子１０の構成を示す側断面図である。
【００２９】
なお、以下の説明においては、上側とは、磁性素子１０のうち、後述する下面２１ｃから離間する上面２１ａ側を指し、下側とは、その逆側を指す。また、高さ方向とは、磁性素子１０における上面２１ａと下面２１ｃとを結んだ、上下方向を指す。
【００３０】
図１に示すように、磁性素子１０は、コア部材２０と、導体パターン３０と、外部導体４０と、端子電極５０と、を具備している。このうち、コア部材２０は、Ｎｉ−Ｃｕ−Ｚｎ系の低温燒結材料と樹脂系結合剤の混練物から構成される、磁性ペーストを塗布することにより形成される。本実施の形態では、磁性ペーストを薄く塗布して、磁性シート（磁性部材に対応）を形成し、この磁性シートを多数貼り合わせることによって、磁性ワーク２２，２３を形成し、これら磁性ワーク２２，２３から磁性素子１０が形成されている。
【００３１】
なお、後述するように、本実施の形態では、コア部材２０は、磁性ワーク２２に対して、磁性シートを貼り合わせることにより形成されるが、磁性ワーク２２も、磁性シートを所定高さまで貼り合わせることにより形成される。また、コア部材２０は、上述のＮｉ−Ｃｕ−Ｚｎ系の低温燒結材料を含む磁性ペーストに限られず、例えば、焼結条件、硬化条件が確立すれば、Ｍｎ−Ｚｎ系、金属系の材質を含むペーストを用いるようにしても良い。なお、樹脂系結合剤としては、例えばＰＶＢ溶液等が挙げられる。
【００３２】
ここで、磁性ワーク２２の上面は、導体パターン３０等が形成される導体用平面２２ａとなっている。
【００３３】
また、図１および図２に示すように、コア部材２０は、その外観を略直方体形状としている。詳しくは、略直方体形状のコアを構成するコア部材２０の６つの外面２１のうち、実装基板（不図示）と直接対向する下面（図１において、下方に位置している外面；以下の説明においては、下面２１ｃとする。）、およびそれとは平行をなす上面２１ａは、６つの外面２１の中で最も大面積に設けられている。なお、以下の説明においては、６つの外面２１には、上面２１ａおよび下面２１ｃの他に、一対の外部導体４０がそれぞれ延出する端面２１ｂ，２１ｄ、これらの端面２１ｂ，２１ｄや上面２１ａ、下面２１ｃと垂直を為す側面２１ｅ，２１ｆがある。これら複数の外面２１に関して説明する場合、これら上面２１ａ、下面２１ｃ、端面２１ｂ，２１ｄ、側面２１ｅ，２１ｆ等は、それぞれ外面２１ａ〜２１ｆとしても、説明される。
【００３４】
また、コア部材２０を貫くように、スクリーン印刷法等により、導体パターン３０が設けられている。導体パターン３０は、本実施の形態では、コア部材２０の長手方向に沿って設けられていると共に、該コア部材２０の幅方向における中心線Ｌ（図２参照）を挟んで、対称な位置に設けられている。また、導体パターン３０は、コア部材２０の高さ方向において、略中央部分に設けられている。
【００３５】
この導体パターン３０は、その平面形状が所定の幅を有して形成されていると共に、その正面形状（導体パターン３０の長手方向に垂直を為す断面で切断した場合には、その断面における正面形状）が所定の高さ寸法を有する矩形状に形成されている。また、導体パターン３０は、導体ペーストを塗布することにより形成されている。この導体ペーストは、例えばＡｇ等の導電性を有する金属粉末と、樹脂系結合材との混練物である。
【００３６】
なお、本実施の形態では、導体パターン３０の幅寸法は、その高さ寸法よりも十分大きくなるように形成されている。また、導体パターン３０の両端部分は、端面２１ｂ，２１ｄに露出するように設けられている。これら導体パターン３０が端面２１ｂ，２１ｄに露出する部分のうち、外部導体４０に接続される部分を第１の露出部分３０ａ、端子電極５０に接続される部分を、第２の露出部分３０ｂとする。この場合、端面２１ｂは、一の外面に対応すると共に、端面２１ｄは、他の外面に対応する。
【００３７】
また、コア部材２０の端面２１ｂ，２１ｄには、端子電極５０が取り付けられている。端子電極５０は、例えば端子電極用導体ペーストをコ字形状に塗布することにより形成されている。なお、端子電極５０には、メッキが施されている。このメッキは２層構成であり、そのうち第１層は、コア部材２０および導体パターン３０との密着性が良いＮｉメッキ層であると共に、第２層は、実装時の半田の塗れ性を確保するための錫メッキ層となっている。しかしながら、端子電極５０は、かかる構成には限られず、例えば、コ字形状に折り曲げ加工した金属板を貼り付けることにより、形成するようにしても良い。
【００３８】
以上のような構成を有する磁性素子１０を製造する方法について、図３に基づいて以下に説明する。なお、以下の説明においては、磁性素子１０の各製造段階における未完成の磁性素子１０を、未完成体と呼称して説明する。
【００３９】
まず、磁性粉末と、有機溶剤と、有機系の樹脂を混練して、磁性ペーストを作成する（図３におけるＳ１）。この磁性ペーストを、塗工機を用いて薄くシート状に引き延ばし、その後乾燥機にシート状に引き伸ばした磁性ペーストを入れる。それによって、磁性ペーストが乾燥し、磁性シート（不図示）が作成される（Ｓ２）。かかる磁性シートを多数作成した後に、該磁性シートを重ね、互いに貼り合わせる。すると、所定の厚みを有する磁性ワーク２２（図３参照）が形成される（Ｓ３）。
【００４０】
続いて、作成された磁性ワーク２２上に、導体ペーストを塗布し、導体パターン３０を印刷する（Ｓ４）。この印刷に際しては、図１および図２に示す導体パターン３０の形状に対応するように、導体ペーストを印刷する。また、導体ペーストは、導体パターン３０の厚みに対応させて、複数回重ね合わせて印刷するようにしても良い。また、導体ペーストの塗布により導体パターン３０を印刷した後に、上述のように乾燥機に入れて、該導体パターン３０を乾燥させるようにしても良い。
【００４１】
また、導体パターン３０を形成した後に、該導体パターン３０を覆うように、磁性シートを積層し、磁性ワーク２２および導体パターン３０に対して、該磁性シートを、例えば熱圧着等の手法を用いて貼り合わせる（Ｓ５）。この場合、磁性シートは、単層のみならず、複数層積層し、貼り合わせるようにする。それによって、所定の厚みを有すると共に、磁性ワーク２２に被せられる、上方側の磁性ワーク２３が形成される。しかしながら、磁性ワーク２３は、磁性シートの積層により形成される場合には限られず、予め所定の厚みを有する、蓋体状に形成されたものを用いても良い。
【００４２】
なお、積層によって形成される導体パターン３０の厚みは、例えば略１５０μ程度と、磁性素子１０の全体の厚みと比較すると小さく設けられている。また、磁性シートは、若干の可塑性を備えている。そのため、磁性シートを積層するにつれて、該導体パターン３０の厚み分が吸収される。それによって、磁性素子１０の上面に、導体パターン３０の凸形状に対応した、凸部分が形成されるのを防止することが可能となる。
【００４３】
かかる積層／貼り合わせの後に、図４に示す、多数の導体パターン３０が形成されたシート状の状態から、それぞれの磁性素子１０に対応した大きさに切り出す。この場合、図４に示す鎖線に沿って、切り出しを行う（Ｓ６）。続いて、磁性素子１０の未完成体を、約９００度の温度にて、大気中で焼結させる（Ｓ７）。そして、接合体に対する焼結によって形成される、磁性素子１０の未完成体に対して、バレル研磨を行う（Ｓ８）。それにより、未完成体の上面および下面は、凹凸のない状態に平滑化され、完成後に磁性素子１０の上面２１ａおよび下面２１ｃとなる。
【００４４】
次に、磁性素子１０の端子電極５０の形成、および磁性素子１０の上面に位置する一対の外部導体４０の形成を行う（Ｓ９）。端子電極５０および外部導体４０は、上述の導体パターン３０と同様に、導電性を有する導体ペーストを塗布することにより形成される。また、本実施の形態における外部導体４０は、端面２１ｂ，２１ｄのみに形成されると共に、この端面２１ｂ，２１ｄの下方側に向かってのみ延伸している。この場合、外部導体４０は、後述するランドパターン６２に接続されるように、端面２１ｂ，２１ｄの下端部まで突っ切る状態に設けられている。また、外部導体４０は、導体パターン３０の第１の露出部分３０ａに接続された状態で、端面２１ｂ，２１ｄに設けられている。この場合、一対の外部導体４０は、それぞれ異なる端面２１ｂ，２１ｄに設けられていると共に、互いに異なる導体パターン３０の第１の露出部分３０ａに接続する状態に設けられている。
【００４５】
なお、かかる端子電極５０および外部導体４０を形成するに際しても、導体ペーストを複数回塗布するようにするのが好ましい。また、ランドパターン６２を形成する場合、導体ペーストを塗布するようにしても良いが、予め基板に形成された回路パターン等を利用するようにしても良く、その他、一定の電流を導通可能な導体が存在する構成であれば、どのような構成を用いても良い。
【００４６】
そして、導体ペーストの塗布による、未硬化の端子電極５０および外部導体４０の形成後、磁性素子１０の未完成体を、約６００度の温度にて、大気中で焼結させ、未硬化の端子電極５０および外部導体４０を硬化させる（Ｓ１０）。その後、端子電極５０および外部導体４０に対するバレル研磨を行い（Ｓ１１）、これら端子電極５０および外部導体４０を、所定の厚み寸法に形成すると共に、その表面が凹凸のない状態に平滑化する。
【００４７】
続いて、端子電極５０に対して、メッキ処理を行い、半田付け等によって接着され易い状態にする（Ｓ１２）。このようにして、磁性素子１０は完成するが、最後に、作成された磁性素子１０の特性評価を行い、所定の特性を有さない磁性素子１０が不良として取り除かれる（Ｓ１３）。以上の各ステップを経ることにより、所定の特性を備える磁性素子１０が作成される。
【００４８】
ここで、図５に示すように、磁性素子１０が実装される実装基板６０は、端子電極５０が実装／接合されるランド部６１を有すると共に、その他にランドパターン６２を有している。ランドパターン６２は、その両端側において上述の外部導体４０に接続される導体部分である。このランドパターン６２は、隣り合う導体パターン３０に対して電流を流すためのものであり、そのため、実装基板６０に磁性素子１０が実装された状態においては、ランドパターン６２は、該磁性素子１０の長手方向に対して、傾斜する状態で接続される。また、本実施の形態では、このランドパターン６２、導体パターン３０および外部導体４０により、コイル部分が形成され、電流の導通により閉磁路を形成することが可能となっている。
【００４９】
以上が、本発明の一実施の形態における、磁性素子１０の構成の一例である。しかしながら、本発明の磁性素子は、上述した磁性素子１０に限られるものではなく、種々変形可能である。その例を、図６〜図２３を用いて説明する。
【００５０】
図６に示す磁性素子１１は、図１に示す磁性素子１０と比較すると、コア部材２０の内部における導体パターン（この図６に示す導体パターンを、それぞれ導体パターン３１１〜３１６とする。）の配置が異なっている。すなわち、図６に示す磁性素子１１では、導体パターン３１１〜３１６は、磁性素子１１の内部において、短手方向に対して鋭角を為す所定の角度θだけ傾斜した状態で配置されている。
【００５１】
また、導体パターン３１１〜３１６は、コア部材２０の内部に複数本（図６においては、６本）配置されている。それらのうち、最も端部側に位置する導体パターン３１１，３１６は、該導体パターン３１１の一方の端部、および導体パターン３１６の他方の端部が、それぞれ端面２１ｂ，２１ｄに露出している（かかる露出している部分を、以下、第２の露出部分３１８とする。）。ここで、導体パターン３１１，３１６のうち、端面２１ｂ，２１ｄに露出している第２の露出部分３１８は、導体パターン３１１，３１６の断面積よりも、面積が広くなるように設けられている。また、導体パターン３１１の他方の端部、導体パターン３１６の一方の端部、および導体パターン３１２〜３１５の両端部も、それぞれ側面２１ｅ，２１ｆに露出している（以下、これらの露出部分を、第１の露出部分３１９とする。）。これら第１の露出部分３１９は、第２の露出部分３１８よりも小面積に設けられている。
【００５２】
また、第２の露出部分３１８には、上述の図１に示す磁性素子１０と同様の端子電極５１が接続される。また、図６に示す磁性素子１１においては、上述の磁性素子１０とは異なり、側面２１ｅ，２１ｆに、それぞれの第１の露出部分３１９へ接続される外部導体４１が設けられている。
【００５３】
また、磁性素子１１は、図７に示すような、実装基板６０１に接続される。この実装基板６０１は、図５に示す実装基板６０に存在するランドパターン６２とは異なる、ランドパターン６２１を有している。このランドパターン６２１は、隣り合う導体パターン３１１〜３１６に接続されている外部導体４１であって、側面２１ｅに存在するものと、側面２１ｆに存在するものとを、互いに接続するためのものである。なお、本実施の形態においては、ランドパターン６２１は、５本設けられていて、それぞれが、磁性素子１１の長手方向に対して直交する方向（磁性素子１１の短手方向）を長手としている。
【００５４】
なお、図６に示す磁性素子１１を形成する場合、図８に示すような、切り出し方向の鎖線に対して、導体パターン３１１〜３１６が傾斜しているシート状の部材を形成する。その後、それぞれの磁性素子１１に対応した大きさに、鎖線に沿って切り出す。
【００５５】
また、図９に示す磁性素子１２は、図１に示す磁性素子１０と比較すると、外部導体等が異なっている。すなわち、図９に示す構成では、外部導体４２ａが、上面２１ａ側に向かい、該上面２１ａに差し掛かる部位まで延伸している。さらに、外部導体４２には、その上面２１ａ側の端部において、第２の導体パターンに対応する上面導体パターン４２ｂに接続されている。
【００５６】
この上面導体パターン４２ｂは、外部導体４２ａ等と同様に、導電性を有する金属粉末と、樹脂系結合材との混練物を塗布し、硬化させることにより形成されている。また、上面導体パターン４２ｂは、一対の外部導体４２ａに接続されている。かかる接続を為すために、上面導体パターン４２ｂは、磁性素子１２の長手方向に対して傾斜する状態で設けられている。それによって、上面導体パターン４２ｂは、上述のランドパターン６２と同様に、隣り合う導体パターン３０を互いに接続させている。
【００５７】
また、図１０に示す磁性素子１３は、上述の図６に示す導体パターン３１１〜３１６を具備すると共に、上述の図９に示すのと同様に、外部導体４３ａが、上面２１ａ側に向かい、該上面２１ａに差し掛かる部位まで延伸している。しかしながら、外部導体４３ａは、図９に示す外部導体４２ａとは異なり、側面２１ｅ，２１ｆに設けられている。また、上面２１ａにも、上面導体パターン４３ｂが設けられている。なお、図１０に示す磁性素子１３においては、磁性素子１３は、傾斜している６本の導体パターン３１１〜３１６を備えているが、上面導体パターン４３ｂは、磁性素子１３の長手方向に垂直な方向に沿って配置されている。そして、上面導体パターン４３ｂは、導体パターン３１１〜３１６のうち、隣り合う導体パターン３１１〜３１６を互いに接続させるように設けられている。
【００５８】
また、図１１および図１２に示す磁性素子１４は、図１に示す磁性素子１０と比較すると、上側の磁性ワーク２２と下側の磁性ワーク２３とを完全に遮断する、非磁性層２４を有している。非磁性層２４は、一対の導体パターン３０，３０の間に設けられている。また、非磁性層２４は、端面２１ｂ，２１ｄに露出する状態に設けられている。この非磁性層２４は、非磁性かつ非導電性の非磁性ペーストが硬化・焼結したものである。
【００５９】
このような構成を採用した場合、閉磁路を構成する磁束は、非磁性層２４の部位で磁束のショートパスを遮断することができる。この結果、磁気飽和が素子内において均一となり、直流重畳特性がさらに向上する。また、磁束の流れが簡素であるため、特性の試算が容易となる。
【００６０】
なお、図１３に示す磁性素子１５は、図６に示す磁性素子１１に非磁性層２４を追加した構成である。また、図１４に示す磁性素子１６も、図９に示す磁性素子１２に非磁性層２４を追加した構成である。さらに、図１５に示す磁性素子１７も、図１０に示す磁性素子１３に非磁性層２４を追加した構成である。これら磁性素子１５〜１７は、図１１に示す磁性素子１４と、同様の作用効果を得ることが可能となっている。
【００６１】
また、上述の各磁性素子１０〜１７においては、図１６に示すような、ギャップ層２５を追加する構成を採用しても良い（以下、かかるギャップ層２５を備える磁性素子を、磁性素子１８とする。）。ギャップ層２５は、磁気ギャップとして機能する部分であり、非磁性部材から構成されている。また、図１６に示すように、ギャップ層２５は、コア部材２０を、上下方向に完全に２つに分離している。このことにより、直流重畳特性が特に向上し、電源系用途の素子として、好適となる。
【００６２】
また、図１７〜図２０に示す磁性素子１９ａ〜１９ｄのように、端子電極５１を４つ設け、それぞれの端子電極５１に、導体パターン３１１〜３１７の第２の露出部分３１８を接続させるようにしても良い。このように構成した場合、コイル部が２つ形成される状態となり、例えばコモンモードフィルタ、トランス等に用いることが可能となる。
【００６３】
なお、図１９に示す磁性素子１９ｃは、図１７に示す磁性素子１９ａに、非磁性層２４を加えたものである。同様に、図２０に示す磁性素子１９ｄは、図１８に示す磁性素子１９ｂに、非磁性層２４を加えたものである。また、図１７に示す磁性素子１９ａを、実装基板６０に実装させる態様を図２１に、図１９に示す磁性素子１９ｃを、実装基板６０に実装させる態様を図２２に示す。図２１および図２２に示すように、いずれかの導体パターン３１１〜３１７は、外部導体４１を介して１つ置き毎に、ランドパターン６２に対して接続される状態となっている。このため、導体パターン３１は、図６等に示す導体パターン３１１〜３１６と比較して、コア部材２０の長手方向に対する傾斜角度θが大きく設けられている。また、このように導体パター３１１〜３１７に対する傾斜角度θを大きくすることにより、２つのコイル部が形成される状態となる。
【００６４】
ここで、図１４に示す磁性素子１６に対して、さらにギャップ層２５を追加した磁性素子（図２３参照；以下、この磁性素子を磁性素子１８とする。）と、図２４に示すような、従来の磁性素子（以下、この磁性素子を磁性素子１とする。）を用いて、特性試験を行ったときの、特性比較の様子を、図２５に示す。なお、図２５においては、磁性素子１８の特性を実線で、磁性素子１の特性を破線で示す。また、図２３および図２４に示す構成では、ギャップ層２５の厚みは、略５０μ程度となっている。
【００６５】
図２５に示すように、本発明の一例である、図２３に示す磁性素子１８は、従来の図２４に示す磁性素子１と比較して、その特性が良好となっている。すなわち、従来の磁性素子１においては、図２５の左右のそれぞれに存在する導体パターン３の数が異なっている。加えて、従来の磁性素子１においては、磁束の流れは１つではなく、上下の各磁性ワーク２（磁性層）において、それぞれの磁性層のみを流れる磁束の流れが存在すると共に、磁束が通過する磁性素子１の断面積は、左右において均一とはなっていない。
【００６６】
これに対して、本発明の一例である、図２３に示す磁性素子１８においては、図２３の左右のそれぞれにおいて存在する導体パターン３０の数が同じである。また、図２３に示す磁性素子１８においては、磁束の流れが１つとなっていると共に、磁束が通過する磁性素子１８の断面積が、左右において均一となっている。そのため、図２３に示す磁性素子１８は、従来の図２４に示す磁性素子１と比較して、左右のいずれか一方の側において、磁気飽和がより早く発生してしまう、といった不具合を防止することが可能となる。それによって、本発明の一例である、図２３に示す磁性素子１８においては、その特性が良好となる。
【００６７】
このような構成の磁性素子１０〜１９、および磁性素子１０〜１９の製造方法によれば、従来の印刷法およびスルーホール法と比較して、磁性素子１０〜１９を製造するための工数を少なくすることが可能となる。すなわち、本発明に係る磁性素子１０〜１９では、導体パターン３０，３１１〜３１７（以下、導体パターン３０他とする。）、外部導体４０，４１，４２ａ，４３ａ（以下、外部導体４０他とする。）、上面導体パターン４２ｂ，４３ｂおよび端子電極５０，５１を形成する以外、同一形状の磁性シートを重ね、貼り合わせるだけで、磁性素子１０〜１９を形成することができる。
【００６８】
そのため、従来のように、コア部材２０の略半分の面積を有する磁性パターンを塗布すべく、メタルマスクを位置合わせして、その後ペーストを塗布し、さらにメタルマスクを取り替えた後に、導体パターン３０他を塗布し、さらにコア部材２０の反対側を覆う略半分の面積を有する磁性パターンを塗布する、といった作業を繰り返す必要がなくなる。それにより、磁性素子１０〜１９を形成するための工数を大幅に削減することが可能となり、製造時間を短縮することが可能となる。また、工数の大幅な削減により、製造コストを大幅に削減することが可能となる。
【００６９】
また、上述のように工数の大幅な削減を図ることができるため、いわゆる低ＤＣＲ化に対応した磁性素子１０〜１９を製造し易くなる。すなわち、従来の磁性素子１においては、低ＤＣＲ化を図るために導体パターン３０他の厚み寸法を大きくしようとすると、上述したように導体パターン３０他のみならず、磁性体層または非磁性体層を複数回ずつ塗布／乾燥させる必要がある。加えて、塗布の度毎に、メタルマスクも設置しなければならなく、工数が非常に多くなっている。しかしながら、本実施の形態における磁性素子１０〜１９では、低ＤＣＲ化を図る場合でも、導体パターン３０他のみを繰り返し印刷し、その他の磁性層（コア部材２０）は、磁性シートを必要なだけ貼り合わせるだけで済む。そのため、メタルマスクの設置回数が大幅に削減され、製造時間の大幅な短縮、および製造コストの大幅な削減を図ることが可能となる。
【００７０】
また、多大な工数を必要とせずに済むため、従来の印刷法等のように、多大な工程のうち、いずれか１つの工程で不良が発生することによる、磁性素子１０〜１９の不良を防止することが可能となる。そのため、磁性素子１０〜１９の製造に際して、不良が発生するのを低減でき、該磁性素子１０〜１９の歩留まりが悪化するのを防ぐことが可能となる。
【００７１】
また、上述の磁性素子１０〜１９は、その幅方向において導体パターン３０等の本数が変化せず、対称性を有している。しかも、従来の磁性素子と比較して、磁性素子１０〜１９のは、その内部構成が大幅に簡素化されている。このため、磁性素子１０〜１９の幅方向においては、磁気飽和等が同時に生じるため、幅方向において導体パターン３の本数が異なり、内部構成が複雑な従来の磁性素子１と比較して、特性設計のために複雑な計算を行わなくても、容易に設計することができる。それによって、磁性素子１０〜１９は、所望の特性を容易に得ることが可能となる。
【００７２】
また、内部構成の簡素化により、磁性素子１０〜１９の品質も、安定的なものとすることができる。すなわち、同品質の磁性素子１０〜１９を大量に製造することが可能となる。また、本発明の磁性素子１０〜１９を製造する場合、新たな設備を必要とせず、既存の設備を用いて製造することができる。
【００７３】
また、例えば６本の導体パターン３１１〜３１６を有する磁性素子１１等のように、３本以上の導体パターンを形成する場合でも、導体用平面２２ａに複数の導体パターンを同時に印刷するため、２本の導体パターンを有する磁性素子１０等を形成する場合と比較して、工数が増大しない。すなわち、従来の印刷法、スルーホール法においては、導体パターンの巻数が多くなればなる程、工数が増大しているが、本実施の形態の磁性素子１１等を形成する場合、巻数が多くなっても、工数が増大しない。このため、巻数が多くＬ値の高い磁性素子を形成する場合、工数の差が顕著となり、一層大きな製造時間短縮、および製造コストの削減効果を得ることが可能となる。
【００７４】
さらに、本発明においては、コア部材２０を形成する場合、磁性ペーストを薄く塗布して形成される磁性シートを用いている。それにより、本実施の形態では、従来の印刷法等のように、メタルマスクのマスク部分に、余分に磁性ペーストを塗布せずに済む。このため、ペーストの使用量を低減することが可能となる。かかるペーストの使用量の低減によっても、製造コストの低減を図ることが可能となる。
【００７５】
また、本発明においては、印刷法を用いる場合のように、磁性パターンの形成に際して、ペーストの塗布および乾燥を繰り返すことがない。そのため、ペーストの乾燥に伴う内部収縮が発生し難く、製造中の磁性素子１０〜１９に収縮により引き起こされる亀裂等の不具合が発生し難くなる。それにより、磁性素子１０〜１９の製造に際して、不具合が発生するのを防止することが可能となり、製造段階における歩留まりを向上させることができる。
【００７６】
また、本発明の磁性素子１０〜１９は、従来の印刷法およびスルーホール法で製造される磁性素子１とは異なり、磁性シートの積層方向と、コイル部の中心線とが一致せずに直交した状態に設けられている。このような構成を採用することにより、従来の印刷法等で形成される磁性素子１のように、磁性ワーク２を構成する磁性パターンと導体パターン３とが交互に出現するのが防止され、各磁性パターンが薄くなるのを防止することができる。また、本発明の磁性素子１０〜１９は、従来のように、磁性パターンの薄型化の防止により、導体パターン２同士が短絡する、といった不具合を防止できる。また、磁性パターンの薄型化を防止できるため、該磁性パターンの厚み寸法の管理を厳格に行う必要もなくなる。かかる面からも、製造コストの低減を図ることが可能となる。
【００７７】
また、上述のスルーホール法を用いる場合のように、磁性シート等に大量の孔部を形成する必要がない。そのため、孔部の形成に時間を要することがなく、製造時間の短縮化を図ることが可能となる。さらに、スルーホール法を用いる場合には、磁性シートを積層するに際して、孔部の僅かな位置ずれ等が生じて、孔部を挿通する導体の接続（接触）抵抗が増大する、という問題が生じているが、本発明では、孔部が存在しないため、そのような問題が生じるのを防止することが可能となる。
【００７８】
また、図６、図１０、図１３、図１５、図１７〜図２０に示す磁性素子１１，１３，１５，１７，１９においては、コア部材２０の内部において、コイル部における導体パターン３１等の巻数を多くすることが可能となる。さらに、図１、図９、図１１、図１４に示す磁性素子１０，１２，１４，１６においては、コイル部における導体パターン３０等の巻数が少ないため、低抵抗化を図ることが可能である。そのため、磁性素子１０，１２，１４，１６を、高周波駆動される各種電子機器の電源用として用いることが可能である。また、磁性素子１０等の一層の小型化を図ることも可能である。
【００７９】
さらに、図１１、図１３〜１５、図１９、図２０に示す磁性素子１４〜１７，１９ｃ，１９ｄにおいては、非磁性層２４を有している。このように、非磁性層２４を設ける場合、それぞれの導体パターン３０等の周囲に形成される、磁束の流れ（磁束のショートパス）が遮断される。そのため、電流を導通させた場合に、磁束の流れを１つにすることが可能となる。それによって、非磁性層２４を設けない構成と比較して、より大きなインダクタンス値（Ｌ値）を得ることが可能となる。また、磁性素子１４〜１７，１９ｃ，１９ｄの直流重畳特性を良好にすることができ、磁気飽和が生じるのを防止することが可能となる。なお、かかる磁性素子１４〜１７，１９ｃ，１９ｄは、コモンモードコイル、インダクタ、トランス等に適したものとなっている。
【００８０】
また、図１６に示す磁性素子１８においては、ギャップ層２５を具備している。このため、ギャップ層２５が存在しない場合と比較して、直流重畳特性を良好にすることが可能となり、磁気飽和が発生しない範囲を広げることが可能となる。
【００８１】
また、図１７〜図２０に示す磁性素子１９ａ〜１９ｄにおいては、４つの端子電極５１を有している。そのため、これらの磁性素子１９ａ〜１９ｄは、コモンモードフィルタ、トランス等に適したものとなる。
【００８２】
以上、本発明の一実施の形態について説明したが、本発明はこれ以外にも種々変形可能である。以下、それについて説明する。
【００８３】
上述の図１、図９、図１１、図１４に示す磁性素子１０，１２，１４，１６においては、一対（２本）の導体パターン３０が磁性素子１０，１２，１４，１６の内部を貫く構成となっている。しかしながら、導体パターン３０の本数は、２本には限られず、３本以上の導体パターン３０を設けるようにしても良い。２本の導体パターン３０が貫く場合、巻数が１巻きとなるが、３本以上の導体パターン３０が設けられる場合、巻数が２巻き以上となる磁性素子１０，１２，１４，１６を製造することが可能となる。なお、３本以上の導体パターン３０を印刷によって形成する場合でも、マスクを介して導体パターン３０を印刷するため、工数は増えず、２本の導体パターン３０を印刷する場合と同一の工数となる。
【００８４】
また、上述の実施の形態では、導体パターン３０他は、上下方向においては、１つ（１層）のみ存在する構成を採用している。しかしながら、例えば、図１に示す磁性素子１０等を、上下方向に重ねて貼り合わせるようにすることにより、導体パターン３０他は、上下方向においても、２層以上存在する構成を採用することができる。なお、かかる貼り合せを行う場合でも、従来のようにメタルマスクで位置合わせを行い、その後ペーストを塗布して磁性素子の略半分の面積を覆う、といった作業を繰り返す必要がなくなる。それにより、工数を大幅に削減することが可能となる。
【００８５】
さらに、上述の実施の形態においては、導体パターン３０，３１１〜３１７は、直線状に設けられている。しかしながら、導体パターンは、直線状のみならず、曲線状に設けられている構成を採用しても良い。
【００８６】
また、上述の実施の形態においては、外部導体４０，４１，４２ａ，４３ａは、コア部材２０の端面２１ｂ，２１ｄまたは側面２１ｅ，２１ｆに、導電性を有する金属粉末と、樹脂系結合材との混練物を塗布することにより形成されている。しかしながら、外部導体４０他は、例えば金属板を、端面２１ｂ，２１ｄまたは側面２１ｅ，２１ｆに貼り合わせることにより、形成するようにしても良い。また、上述の実施の形態における上面導体パターン４２ｂ，４３ｂも、上面２１ａに導電性を有する金属粉末と、樹脂系結合材との混練物を塗布することにより形成されている。しかしながら、上面導体パターン４２ｂ，４３ｂも、例えば金属板を、上面２１ａに貼り合わせることにより、形成するようにしても良い。
【００８７】
また、図９，１０，１４，１５，１８，２２，２３に示す磁性素子１２，１３，１６〜１８，１９ｂ，１９ｄの上面導体パターン（第２の導体パターンに対応）、および全ての実施の形態における外部導体を、非磁性かつ非導電性の非磁性ペースト等により覆うようにしても良い。
【産業上の利用可能性】
【００８８】
本発明の磁性素子は、電気機器の分野において利用することができる。
【図面の簡単な説明】
【００８９】
【図１】本発明の一実施の形態に係る磁性素子のコア部材の内部構成を透視した状態で示す斜視図であり、導体パターンが磁性素子の長手方向に沿って延伸し、かつ外部導体が下方に向かって延伸する状態を示す図である。
【図２】図１の磁性素子を製造する各工程を示す工程図である。
【図３】図１の磁性素子の構成を示す側断面図である。
【図４】図１の磁性素子の製造段階のうち、導体パターンを形成した後であって各磁性素子に切り出す前の状態を示す平面図である。
【図５】図１の磁性素子を、実装基板に実装させる態様を示す斜視図である。
【図６】本発明の磁性素子の変形例に係り、短手方向に対して所定角度傾斜した状態で導体パターンが複数本配置されているコア部材の内部構成を透視した状態で示す斜視図である。
【図７】図６の磁性素子を、実装基板に実装させる態様を示す斜視図である。
【図８】図６の磁性素子の製造段階のうち、導体パターンを形成した後であって各磁性素子に切り出す前の状態を示す平面図である。
【図９】本発明の磁性素子の変形例に係り、上面に外部導体が存在すると共に、導体パターンが磁性素子の長手方向に沿って延伸しているコア部材の内部構成を透視した状態で示す斜視図である。
【図１０】本発明の変形例に係り、上面に外部導体が存在すると共に、短手方向に対して所定角度傾斜した状態で導体パターンが複数本配置されるコア部材の内部構成を透視した状態で示す斜視図である。
【図１１】本発明の変形例に係り、図１に示すコア部材の内部に、非磁性層が設けられる構成を透視した状態で示す斜視図である。
【図１２】図１１の磁性素子の構成を示す側断面図である。
【図１３】本発明の変形例に係り、図６に示すコア部材の内部に、非磁性層が設けられる構成を透視した状態で示す斜視図である。
【図１４】本発明の変形例に係り、図９に示すコア部材の内部に、非磁性層が設けられる構成を透視した状態で示す斜視図である。
【図１５】本発明の変形例に係り、図１０に示すコア部材の内部に、非磁性層が設けられる構成を透視した状態で示す斜視図である。
【図１６】本発明の各磁性素子に非磁性層を加えた構成を示す側断面図である。
【図１７】本発明の変形例に係り、図６に示す磁性素子が、４つの端子電極を備えるように構成変更した状態を示す斜視図である。
【図１８】本発明の変形例に係り、図１０に示す磁性素子が、４つの端子電極を備えるように構成変更した状態を示すと共に、コア部材の内部構成を透視した状態で示す斜視図である。
【図１９】本発明の変形例に係り、図１３に示す磁性素子が、４つの端子電極を備えるように構成変更した状態を示すと共に、コア部材の内部構成を透視した状態で示す斜視図である。
【図２０】本発明の変形例に係り、図１５に示す磁性素子が、４つの端子電極を備えるように構成変更した状態を示すと共に、コア部材の内部構成を透視した状態で示す斜視図である。
【図２１】図１７に示す磁性素子を、実装基板に実装させる態様を示す斜視図である。
【図２２】図１９に示す磁性素子を、実装基板に実装させる態様を示す斜視図である。
【図２３】図１４に示す磁性素子に対して、ギャップ層を追加した構成を示す図であり、（ａ）は斜視図、（ｂ）は側断面図を示す。
【図２４】従来の磁性素子の構成例を示す斜視図であり、（ａ）は斜視図、（ｂ）は側断面図を示す。
【図２５】図２３に示す磁性素子と、図２４に示す磁性素子とに対して、特性試験を行し、その際の特性を比較して示す図である。
【符号の説明】
【００９０】
１０〜１９…磁性素子
２０…コア部材
２２，２３…磁性ワーク
２２ａ…導体用平面
２４…非磁性層
２５…ギャップ層
３０，３１１〜３１７…導体パターン
３０ａ…第１の露出部分
３０ｂ…第２の露出部分
４０，４１，４２ａ，４３ａ…外部導体
４２ｂ，４３ｂ…上面導体パターン（第２の導体パターンに対応）
５０，５１…端子電極
６０…実装基板
６１…ランド部
６２…ランドパターン
【図１】
2006186137.tif 000003
【図２】
2006186137.tif 000004
【図３】
2006186137.tif 000005
【図４】
2006186137.tif 000006
【図５】
2006186137.tif 000007
【図６】
2006186137.tif 000008
【図７】
2006186137.tif 000009
【図８】
2006186137.tif 000010
【図９】
2006186137.tif 000011
【図１０】
2006186137.tif 000012
【図１１】
2006186137.tif 000013
【図１２】
2006186137.tif 000014
【図１３】
2006186137.tif 000015
【図１４】
2006186137.tif 000016
【図１５】
2006186137.tif 000017
【図１６】
2006186137.tif 000018
【図１７】
2006186137.tif 000019
【図１８】
2006186137.tif 000020
【図１９】
2006186137.tif 000021
【図２０】
2006186137.tif 000022
【図２１】
2006186137.tif 000023
【図２２】
2006186137.tif 000024
【図２３】
2006186137.tif 000025
【図２４】
2006186137.tif 000026
【図２５】
2006186137.tif 000027